(57)【要約】【課題】面格子の外壁への固定を強化することにより防犯の強化を図ることができる面格子固定装置を提供する。【解決手段】面格子１１に形成された固定部１１ａと、該固定部１１ａを建造物の外壁１５に固定する固定手段３とを具えた面格子固定装置において、固定手段３を覆うキャップ５と、該キャップ５を外壁１５に固定する接着剤８（図４（ｃ））とをさらに具えている。【選択図】図１
0003108987.tif 000002
【実用新案登録請求の範囲】
【請求項１】
面格子に形成された固定部と、該固定部を建造物の外壁に固定する固定手段とを具えた面格子固定装置において、
前記固定手段を覆うキャップと、
該キャップを前記外壁に固定する接着剤
とをさらに具えるようにしたことを特徴とする面格子固定装置。
【請求項２】
前記キャップは、前記固定手段と前記固定部とを覆い、
前記接着剤は、前記キャップを、前記固定手段と前記固定部とに接着させて前記外壁に固定するようにしたことを特徴とする請求項（１）記載の面格子固定装置。
【考案の詳細な説明】
【技術分野】
【０００１】
本考案は、面格子を建造物の外壁に固定する面格子固定装置に関し、特に、面格子の外壁への固定を強化することにより防犯の強化を図る面格子固定装置に関するものである。
【背景技術】
【０００２】
従来から、住宅等の建造物の外壁に固定される建具として、面格子が用いられている。  
この面格子は、複数本の棒状体を組み合わせて作った建具であり、通常、建造物の美観、プライバシーの保護、防犯、または構造物の補強等の目的で、建造物の窓、戸等の開閉口（以下、単に「開閉口」という。）を覆うように、該開閉口近傍の外壁に固定される。
【０００３】
なお、面格子には、複数本の棒状体を、開閉口の幅方向或いは高さ方向に沿って並べてなるものや、開閉口の幅方向に沿った方向から所定角度をつけた方向に沿って斜めに並べてなるもの等、様々な形状の面格子がある。また、面格子の材質も、木製、鉄製、アルミ鉄板製、ステンレス製など、様々である。
【０００４】
また、このような面格子を建造物の外壁、特に建造物の開閉口近傍の外壁に固定する装置として、従来から、面格子の脚である固定部と、該固定部を外壁に固定する固定手段とからなる面格子固定装置がある。
【０００５】
図１４は、面格子を、従来の面格子固定装置によって外壁に取付けた様子を示す概念斜視図である。また図１５は、図１４の要部拡大図であって、面格子固定装置を表した図である。また、図１６は、図１５の面格子固定装置の組立て分解概念斜視図である。なお、図１５及び図１６は、図１（後述）乃至図１４と同一部分を同一符号で示している。
【０００６】
図１４で示すように、面格子１１の四方の各端部には、それぞれ、従来の面格子固定装置１０１が配設されている。  
また、図１６で示すように、この従来の各面格子固定装置１０１は、面格子１１の脚である固定部１１ａと、ネジからなる一対の固定手段３とから構成されている。また、このうちの固定部１１ａは、格子１１を構成する棒状体１１ｃに配設されている。また、固定部１１ａには、各固定手段３を螺合させる螺合孔１１ｂが形成されている。
【０００７】
このような構成の面格子固定装置１０１では、図１６で示すように、固定部１１ａを建造物の外壁１５の表面１５ａに接するように配置し、さらに、矢印Ｂで示すように、各固定手段３を固定部１１ａの各螺合孔１１ｂに螺合させると、図１５で示すように、面格子１１を、固定部１１ａ及び固定手段３を介して外壁１５に固定することができる。
【０００８】
なお、各固定手段３による上記固定の際には、通常、プラス型のドライバー、又はマイナス型のドライバーが使用される。  
また、面格子１１が固定される外壁１５の材料、すなわち、外壁材としては、一般に、モルタル、サイディング、トタン下見等がある。
【考案の開示】
【考案が解決しようとする課題】
【０００９】
ところで、上述した従来の面格子固定装置１０１によって固定された面格子１１では、図１４及び図１５で示すように、各固定手段３が外壁１５の表面１５ａに露出する。
【００１０】
そのため、窃盗犯等、開閉口１６からの侵入を試みる者が、プラス型のドライバー、マイナス型のドライバー、又は釘抜き（バーアル）等の工具を用いて、固定手段３による固定部１１ａの固定を解除すること（固定手段３を破壊して固定を解除することを含む）が容易であり、これにより面格子１１によって覆われている開閉口１６（図１４）からの侵入することが容易であった。  
すなわち、従来の面格子固定装置１０１によって固定された面格子１１では、防犯目的としての機能が十分に発揮できないという問題があった。
【００１１】
上述した事情に鑑み、本考案は、面格子の外壁への固定を強化することにより防犯の強化を図ることができる面格子固定装置を提供することを目的とする。
【課題を解決するための手段】
【００１２】
上述した課題を解決するため、本考案の面格子固定装置は、面格子に形成された固定部と、該固定部を建造物の外壁に固定する固定手段とを具えた面格子固定装置において、前記固定手段を覆うキャップと、該キャップを前記外壁に固定する接着剤とをさらに具えている。
【考案の効果】
【００１３】
本考案の面格子固定装置は、面格子に形成された固定部と、該固定部を建造物の外壁に固定する固定手段とを具え、さらに、固定手段を覆うキャップと、該キャップを外壁に固定する接着剤とを具えることとしたから、固定手段が外壁の表面に露出せず、そのため工具によって固定手段による固定が解除される虞を可及的に防止できる。  
したがって、本考案の面格子固定装置によれば、従来の面格子固定装置に比し、面格子の外壁への固定を強化することができ、またこれにより防犯の強化を図ることができる。
【考案を実施するための最良の形態】
【００１４】
本考案の面格子固定装置について、以下、第一実施例乃至第九実施例の面格子固定装置で詳述する。
【実施例１】
【００１５】
図1は、面格子を、本考案の第一実施例の面格子固定装置によって外壁に取付けた様子を示す概念斜視図である。また図２は、図１の要部拡大図であって、面格子固定装置を表す図である。また図３は、図２の面格子固定装置の組立て分解概念斜視図である。なお、図２及び図３は、図１及び図１４乃至図１６と同一部分を同一符号で示している。
【００１６】
図１で示すように、面格子１１の四方の各端部には、面格子固定装置１が配設されている。  
図２及び図３で示すように、この面格子固定装置１は、従来の面格子固定装置１０１と同様に、面格子１１の脚である固定部（いわゆるプラケット）１１ａと、該固定部１１ａを建造物の外壁１５に固定する一対の固定手段３とを具えている。  
なお、このうちの固定手段３はネジから構成されている。  
また、固定部１１ａは、図１で示すように面格子１１の棒状体１１ｃのうち両外側に位置する棒状態１１ｃに配設されている。また、棒状体１１ｃと固定部１１ａは、アルミ鋼板によって形成されている。  
また、固定部１１ａには、図４（ａ）で示すように、固定手段３を螺合させる螺合孔１１ｂが形成されている。
【００１７】
なお、上記図４（ａ）乃至後述する図４（ｃ）は、第一実施例の面格子固定装置において、面格子を外壁に固定する動作を示す要部概念断面図であり、特に図４（ａ）は、面格子を固定部及び固定手段によって外壁に固定した様子を示す図である。
【００１８】
この面格子固定装置１では、従来の面格子固定装置１０１と同様に、固定部１１ａを建造物の外壁１５の表面１５ａに接するように配置し、さらに、固定手段３を固定部１１ａの螺合孔１１ｂに螺合させると、図３及び図４（ａ）で示すように、面格子１１を、固定部１１ａ及び固定手段３を介して、外壁１５の表面１５ａに固定することができる。
【００１９】
なお、各固定手段３による上記固定の際には、通常、プラス型のドライバー、又はマイナス型のドライバーが使用される。  
また、図３及び図４（ａ）で示すように、本考案の第一実施例の面格子固定装置１では、さらに、各固定手段３を覆うキャップ５と、該キャップ５を外壁１５に固定する接着剤８（図４（ｃ））とを具えている。
【００２０】
このうちのキャップ５は、ガルバリウム鋼板を折り曲げ形成したものであって、該キャップ５には、固定部１１ａ及び固定手段３に向け開口部５ａが形成されている。なお、図３の符号５ｂは、キャップ５の製造加工の際に形成された切り欠である。  
また、上記接着剤８は、「セラ・タック」と呼ばれる無溶剤型の一液性弾性接着剤から構成されている。
【００２１】
図３及び図４（ａ）の各矢印Ａで示すように、外壁１５に固定された面格子１１において、外壁１５の表面１５ａに露出する固定手段３を、キャップ５によりその開口部５ａを介して覆う。  
すると、図４（ｂ）で示すように、固定手段３は外壁１５の表面１５ａに露出しないから、窃盗犯等、開閉口１６からの侵入を試みようとする者が固定手段３を見つけることは困難となる。したがって、プラス型ドライバーやマイナス型ドライバー、又は釘抜き（バーアル）等の工具によって、固定手段３による固定部１１ａの外壁１５への固定が解除されること（固定手段３（ネジ）を破壊して該螺合を解除することを含む、以下同じ。）は可及的に防止され、これにより、面格子１１によって覆われている開閉口１６（図１）からの侵入を可及的に困難にすることができる。
【００２２】
また、キャップ５によって固定手段３を覆う際、同時に、固定部１１ａをキャップ５によって覆う。すると、固定部１１ａも外壁１５の表面１５ａに露出しないこととなるから、窃盗犯等、開閉口１６（図１）からの侵入を試みようとする者が固定手段３を見つけることは更に困難となる。したがって、プラス型ドライバーやマイナス型ドライバー、又は釘抜き（バーアル）等の工具によって、固定手段３による固定部１１ａの外壁１５への固定が解除されることはさらに可及的に防止され、これにより面格子１１によって覆われている開閉口１６（図１）からの侵入をさらに可及的に困難にすることができる。
【００２３】
またキャップ５によって固定手段３を覆う場合に、図４（ｃ）で示すように、固定手段３とキャップ５の間に形成されたスペースに接着剤８を充填させる。
【００２４】
すると、キャップ５を固定手段３に固定でき、これによりキャップ５を外壁１５に対して固定できる。また、このようにすると、固定手段３が外壁１５の表面１５ａに露出しない状態を強固に保持することができる。
【００２５】
そのため、プラス型ドライバーやマイナス型ドライバー、又は釘抜き（バーアル）等の工具によって、固定手段３による固定部１１ａの外壁１５への固定が解除されることがさらに一層可及的に防止され、これにより面格子１１によって覆われている開閉口１６（図１）からの侵入をさらに一層可及的に困難にすることができる。
【００２６】
また、キャップ５を接着剤８により固定手段３に固定する場合に、該接着剤８をキャップ５と固定部１１ａとの間に充填するようにする。すると、キャップ５を固定手段３だけでなく固定部１１ａにも固定することができ、これにより、キャップ５を外壁１５に対し一層強固に固定することができる。このようにすると、固定手段３が外壁１５の表面１５ａに露出しない状態を一層強固に保持することができ、これによりプラス型ドライバーやマイナス型ドライバー、又は釘抜き（バーアル）等の工具によって、固定手段３による固定部１１ａの外壁１５への固定が解除されることはさらに一層防止される。そのため、開閉口１６（図１）からの侵入をさらに一層困難にすることができる。
【００２７】
なお、上記図４（ｂ）は、面格子の固定部及び固定手段をキャップで覆った様子を示す図である。また上記図４（ｃ）は、キャップを接着剤によって面格子の固定部及び固定手段に固定し、これによりキャップを外壁に対し固定した様子を示す図である。
【００２８】
以上で説明したように、本考案の面格子固定装置１では、面格子１１に形成された固定部１１ａと、該固定部１１ａを建造物の外壁１５に固定する固定手段３とを具えるとともに、さらに固定手段３を覆うキャップ５と、該キャップ５を外壁１５に固定する接着剤８とを具えているから、固定手段３が外壁１５の表面１５ａに露出することはなく、そのため、工具によって固定手段３による固定部５の外壁１５への固定が解除される虞を可及的に防止できる。
【００２９】
したがって、本考案の面格子固定装置によると、従来のものに比し、面格子の外壁への固定を強化することができ、これにより防犯の強化を図ることができる。
【００３０】
なお、上記第一実施例では、面格子固定装置１を構成する固定部１１ａを、アルミ鋼板によって形成するものとしたが、この考案の面格子固定装置を構成する固定部１１ａは、アルミ鋼板以外のものによって形成されていてもよく、例えば、該固定部１１ａは木材、鉄、又はステンレス等によって形成されていてもよい。なお、その場合にも、上述したように面格子の外壁への固定を強化でき、これにより防犯の強化を図ることができることはいうまでもない。
【００３１】
また、上記第一実施例では、面格子固定装置１が配設されている面格子１１は、開閉口１６（図１）の高さ方向に沿って複数の棒状体１１ｃを並列的に配置したものとして説明したが、本考案の面格子固定装置が配設される面格子１１の種類はこれに限定されず、本考案の面格子固定装置は、様々な形状の面格子に適用可能である。  
例えば、この考案の面格子固定装置１が配設される面格子１１は、複数本の棒状体１１ｃを、開閉口１６（図１）の幅方向に沿って並べたものであってもよいし、また、複数の棒状体１１ｃを開閉口１６の幅方向に沿った方向から所定角度をつけた方向に沿って斜めに並べてなるものでもよい。また、この考案の面格子固定装置が配設される面格子１１は、図１の面格子１１の棒状体１１ｃの各長手方向略中央を、図５で示すように横断する横断棒１３を具え、該横断棒１３を各棒状体１１ｃにブラインドリベット固定した面格子であってもよい。  
なお、上記図５は、図１の面格子の構成にさらに横断棒を具えてなる面格子に、第一実施例の面格子固定装置を配設し、該面格子を、この面格子固定装置によって外壁に取付けた様子を示す概念斜視図である。
【００３２】
なお、この横断棒１３を具えた面格子１４は、本願出願人が考案した面格子であって、複数の棒状体１１ｃ間に形成された間隙を強制的に広げることにより面格子１４を破壊して開閉口１６から侵入することを可及的に防止した面格子である。
【００３３】
また、この第一実施例の面格子固定装置１では、キャップ５は、図２で示すように、固定手段３を覆う上面５ｄが長方形になるように形成されているが、この考案の面格子固定装置１のキャップ５の形状はこれに限らず、例えば、キャップ５の上面５ｄが正方形にされたものや、該上面５ｄが八角形にされているもの、又は該上面５ｄが六角形にされているものであってもよい。
【００３４】
また、この第一実施例の面格子固定装置１では、開閉口１６（図１）の幅方向に沿った固定部１１ａの辺の長さが、開閉口１６の高さ方向に沿った固定部１１ａの辺の長さより短いことに対応して、開閉口１６の幅方向に沿ったキャップ５の辺の長さが開閉口１６の高さ方向に沿ったキャップ５の辺の長さより短いものとして説明したが、本考案の面格子固定装置のキャップ５を構成する辺の長さは、面格子１１の固定部１１ａの形状に応じて変更してもよい。
【００３５】
例えば、固定部１１ａが、開閉口１６（図１）の幅方向に沿った辺の長さが開閉口１６の高さ方向に沿った辺の長さより長い場合には、その形状に応じて、キャップ５を、開閉口１６の幅方向に沿った辺の長さが、開閉口の高さ方向に沿った辺の長さより長くなるようにしてもよい。
【実施例２】
【００３６】
図６は、本考案の第二実施例の面格子固定装置を構成するキャップを示す概念斜視図である。
【００３７】
第二実施例の面格子固定装置２１は、第一実施例の面格子固定装置１のキャップ５に替えて、折りしろ２６を具えたキャップ２５を具えている。また、このキャップ２５は、ポリプロピレンによって形成されている。なお、キャップ２５の材質であるポリプロピレンは、ガルバリウムに比し、折り曲げ加工しやすいから、キャップ２５に上記折りしろ２６を形成することは容易である。なお、このキャップ２５には、第一実施例の面格子固定装置１のキャップ５に形成されている切り欠５ｂは形成されていない。
【００３８】
この第二実施例の面格子固定装置２１では、キャップ２５の開口部２５ａを、図４（ａ）の固定手段３及び固定部１１ａに向け配置する。そして、固定手段３及び固定部１１ａをキャップ２５で覆うとともに、キャップ２５を接着剤８（図４（ｃ）参照）によって固定手段３及び固定部１１ａに固定してキャップ２５を外壁１５に対し固定する。このようにすると、固定手段３及び固定部１１ａが外壁１５の表面１５に露出しない状態を保持できる。
【００３９】
なお、この図６では、キャップ２５の構造を説明する便宜上、開口部６ａが、上方に配置した様子を示している。なお、符号２５ｄはキャップ２５の上面である。
【００４０】
なお、この実施例の面格子固定装置２１では、上記図１の面格子固定装置１と同様に、開閉口１６（図１）の幅方向に沿った固定部１１ａの辺の長さが、開閉口１６の高さ方向に沿った固定部５の辺の長さより短いことに対応して、開閉口１６の幅方向に沿ったキャップ２５の辺の長さが、開閉口１６の高さ方向に沿ったキャップ２５の辺の長さより短いものとしたが、本考案の面格子固定装置のキャップ２５は、面格子１１の固定部１１ａの形状に応じて変更してもよい。
【００４１】
例えば、固定部１１ａは、開閉口１６（図１）の幅方向に沿った辺の長さが、開閉口１６の高さ方向に沿った辺の長さより長い場合には、その形状に応じて、キャップ２５を、開閉口１６の幅方向に沿った辺の長さが、開閉口１６の高さ方向に沿った辺の長さより長く形成するようにしてもよいことは勿論である。
【実施例３】
【００４２】
図７は、本考案の第三実施例の面格子固定装置を構成するキャップを示す概念斜視図である。
【００４３】
この第三実施例の面格子固定装置３１は、第一実施例の面格子固定装置１のキャップ５に替えて、上面３５ｄに四角形が一対形成されているキャップ３５を具えている。また、このキャップ３５は、ポリプロピレンによって形成されている。  
なお、このキャップ３５には、第一実施例の面格子固定装置１のキャップ５に形成されている切り欠５ｂは形成されていない。
【００４４】
この第三実施例の面格子固定装置３１では、キャップ３５の開口部３５ａを、図４（ａ）の固定手段３及び固定部１１ａに向け配置する。そして、固定手段３及び固定部１１ａをキャップ３５で覆うとともに、キャップ３５を接着剤８（図４（ｃ）参照）によって固定手段３及び固定部１１ａに固定してキャップ３５を外壁１５に対して固定する。このようにすると、固定手段３及び固定部１１ａが外壁１５の表面１５ａに露出しない状態を保持できる。
【００４５】
なお、この第三実施例の面格子固定装置３１のように、この考案の面格子固定装置のキャップの形状は、その上面が長方形（図６）になるように形成されたものに限らないことは上述のとおりである。
【実施例４】
【００４６】
図８は、本考案の第四実施例の面格子固定装置を構成するキャップを示す概念斜視図である。
【００４７】
この第四実施例の面格子固定装置４１は、第一実施例の面格子固定装置１のキャップ５に替えて、ＡＢＣ樹脂からなるキャップ４５を具えている。また、このキャップ４５は、固定部１１ａ（図１）において開閉口１６の幅方向に沿った辺の長さが開閉口１６の高さ方向に沿った辺の長さより長いことに対応して、開閉口１６の幅方向に沿ったキャップ４５の辺の長さが、開閉口１６の高さ方向に沿ったキャップ４５の辺の長さより長くなるようにされている。  
なお、このキャップ４５には、第一実施例の面格子固定装置１のキャップ５に形成されている切り欠５ｂは形成されていない。  
なお、図８では、図６と同様に、説明の便宜上、キャップ４５の開口部４５ａが上方に配置された様子を図示している。なお、符号４５ｄは、キャップ４５の上面４５ｄである。
【００４８】
この第四実施例の面格子固定装置４１では、キャップ４５の開口部４５ａを、図４（ａ）の固定手段３及び固定部１１ａに向け配置する。そして、固定手段３及び固定部１１ａをキャップ４５で覆うとともに、キャップ４５を接着剤８（図４（ｃ）参照）によって固定手段３及び固定部１１ａに固定してキャップ４５を外壁１５に対し固定する。このようにすると、固定手段３及び固定部１１ａが外壁１５の表面１５ａに露出しない状態を保持できる。
【実施例５】
【００４９】
図９は、本考案の第五実施例の面格子固定装置を構成するキャップを示す概念斜視図である。
【００５０】
この第五実施例の面格子固定装置５１のキャップ５５は、第一実施例の面格子固定装置１のキャップ５に替えて、上面５５ｄが四角形で、かつ、その中央に穴５５ｅが形成されるキャップ５５を具えている。  
また、このキャップ５５は、合成ゴム樹脂から構成されている。  
なお、このキャップ５５には、第一実施例の面格子固定装置１のキャップ５に形成されている切り欠５ｂは形成されていない。
【００５１】
この第五実施例の面格子固定装置５１では、キャップ５５の開口部５５ａを、図４（ａ）の固定手段３及び固定部１１ａに向け配置する。そして、固定手段３及び固定部１１ａをキャップ５５で覆うとともに、キャップ５５を接着剤８（図４（ｃ）参照）によって固定手段３及び固定部１１ａに固定してキャップ５５を外壁１５に対し固定する。このようにすると、固定手段３及び固定部１１ａが外壁１５の表面１５ａに露出しない状態を保持できる。
【実施例６】
【００５２】
図１０は、本考案の第六実施例の面格子固定装置を構成するキャップを示す概念斜視図である。  
この第六実施例の面格子固定装置６１は、第一実施例の面格子固定装置１のキャップ５に替えて、外周に縁６６を具えたキャップ６５を具えている。
【００５３】
また、キャップ６５はシリコン樹脂から構成されている。  
なお、このキャップ６５には、第一実施例の面格子固定装置１のキャップ５に形成されている切り欠５ｂは形成されていない。なお、符号６５ｄはキャップ６５の上面である。
【００５４】
この第六実施例の面格子固定装置６１では、キャップ６５の開口部６５ａを、図４（ａ）の固定手段３及び固定部１１ａに向け配置する。そして、これらをキャップ６５で覆うとともに、キャップ６５を接着剤８（図４（ｃ）参照）によって固定手段３及び固定部１１ａに固定してキャップ６５を外壁１５に対し固定する。このようにすると、固定手段３及び固定部１１ａが外壁１５の表面１５ａに露出しない状態を保持できる。
【実施例７】
【００５５】
図１１は、本考案の第七実施例の面格子固定装置を構成するキャップを示す概念斜視図である。  
この第七実施例の面格子固定装置７１は、第一実施例の面格子固定装置１のキャップ５に替えて、上面７５ｄに段差７６が形成されたキャップ（いわゆるＬ型縁付き長方形プラケットカバー）を具えている。
【００５６】
このキャップ７５は、シリコン樹脂から構成されている。
【００５７】
なお、このキャップ５５には、第一実施例の面格子固定装置１のキャップ５に形成されている切り欠５ｂは形成されていない。
【００５８】
この第七実施例の面格子固定装置７１では、キャップ７５の開口部７５ａを、図４（ａ）の固定手段３及び固定部１１ａに向け配置する。そして、固定手段３及び固定部１１ａをキャップ７５で覆うとともに、キャップ７５を接着剤８（図４（ｃ）参照）によって固定手段３及び固定部１１ａに固定してキャップ７５を外壁１５に対し固定する。このようにすると、固定手段３及び固定部１１ａが外壁１５の表面１５に露出しない状態を保持できる。
【実施例８】
【００５９】
図１２は、本考案の第八実施例の面格子固定装置を構成するキャップを示す概念斜視図である。  
この第八実施例の面格子固定装置８１は、第一実施例の面格子固定装置１のキャップ５に替えて、断面略Ｕ字形のキャップ８５を具えている。
【００６０】
このキャップ８５は、ステンレス鋼板を折り曲げて形成されたものである。また、このキャップ８５は、上面８５ｄに、上方に突出する縁８６が形成されており、これにより上記したようにキャップ断面が略Ｕ字形にされている。
【００６１】
この第八実施例の面格子固定装置８１では、キャップ８５の開口部８５ａを、図４（ａ）の固定手段３及び固定部１１ａに向け配置する。そして、固定手段３及び固定部１１ａをキャップ８５で覆うとともに、キャップ８５を接着剤８（図４（ｃ）参照）によって固定手段３及び固定部１１ａに固定してキャップ８５を外壁１５に対し固定する。このようにすると、固定手段３及び固定部１１ａが外壁１５の表面１５ａに露出しない状態を保持できる。
【実施例９】
【００６２】
図１３は、本考案の第九実施例の面格子固定装置を構成するキャップを示す概念斜視図である。  
この第九実施例の面格子固定装置９１は、第一実施例の面格子固定装置１のキャップ５に替えて、上面９５ｄが六角形にされたキャップ９５を具えている。
【００６３】
なお、このキャップ９５は、ステンレス鋼板を折り曲げて形成されたものである。なお、このキャップ９５には、第一実施例の面格子固定装置１のキャップ５に形成されている切り欠５ｂは形成されていない。  
なお、図１３では、図６及び図８と同様に説明の便宜上、キャップ９５の上面９５ｄが上方にある様子を図示している。
【００６４】
この第九実施例の面格子固定装置９１では、キャップ９５の開口部９５ａを、図４（ａ）の固定手段３及び固定部１１ａに向け配置する。そして、固定手段３及び固定部１１ａをキャップ９５で覆うとともに、キャップ９５を接着剤８（図４（ｃ）参照）によって固定手段３及び固定部１１ａに固定してキャップ９５を外壁１５に対し固定する。このようにすると、固定手段３及び固定部１１ａが外壁１５の表面１５ａに露出しない状態を保持できる。
【００６５】
なお、上記した第二実施例乃至第九実施例の各面格子固定装置２１、３１、４１、５１、６１、７１、８１、９１では、固定手段３及び固定部１１ａが外壁１５の表面１５ａに露出しないので、固定手段３による固定が解除されることは可及的に防止されている。そのため、面格子１１の外壁１５への固定を強化でき、これにより面格子１１による防犯を強化することができることはいうまでもない。
【００６６】
なお、上記第一実施例乃至第九実施例の各面格子固定装置１、２１、３１、４１、５１、６１、７１、８１、９１では、キャップの形状を上記したようにそれぞれ限定して説明したが、本考案の面格子固定装置を構成するキャップの形状は、少なくとも固定手段３を覆う形状であればどのような形状であってもよいことはいうまでもない。  
また、上記した第一実施例乃至第九実施例の各面格子固定装置１、２１、３１、４１、５１、６１、７１、８１、９１では、キャップの材質を、上記したようにそれぞれ特定したが、本考案の面格子固定装置を構成するキャップの材質は、これら各実施例のものに限定されないことはいうまでもない。
【００６７】
なお、上記第一実施例乃至第九実施例の各面格子固定装置１、２１、３１、４１、５１、６１、７１、８１、９１では、面格子１１を、アルミ鋼板によって形成するものとしたが、この考案の面格子固定装置が配設される面格子１１は、アルミ鋼板以外のものによって形成されていてもよく、例えば、該固定部は木材、鉄、又はステンレス等によって形成されていてもよいことは勿論である。
【００６８】
なお、この発明の面格子固定装置に用いる接着剤８は、キャップ５を外壁１５に固定できるものであれば、どのような種類の接着剤であってもよいが、上記第一実施例乃至第九実施例の各面格子固定装置１、２１、３１、４１、５１、６１、７１、８１、９１で説明したように、接着剤８を、「セラ・タック」と呼ばれる無溶剤型の一液性弾性接着剤から構成するのが好ましい。
【産業上の利用可能性】
【００６９】
本考案の面格子固定装置は、防犯を強化する用途のみならず、建造物の美観の向上を図る用途等としても利用できる。
【図面の簡単な説明】
【００７０】
【図１】図1は、面格子を、本考案の第一実施例の面格子固定装置によって外壁に取付けた様子を示す概念斜視図である。
【図２】図２は、図１の要部拡大図であって、面格子固定装置を表す図である。
【図３】図３は、図２の面格子固定装置の組立て分解概念斜視図である。
【図４】図４（ａ）乃至図４（ｃ）は、第一実施例の面格子固定装置において、面格子を外壁に固定する動作を示す要部概念断面図である。
【図５】図５は、図１の面格子の構成にさらに横断棒を具えてなる面格子に、第一実施例の面格子固定装置を配設し、該面格子を、この面格子固定装置によって外壁に取付けた様子を示す概念斜視図である。
【図６】図６は、本考案の第二実施例の面格子固定装置を構成するキャップを示す概念斜視図である。
【図７】図７は、本考案の第三実施例の面格子固定装置を構成するキャップを示す概念斜視図である。
【図８】図８は、本考案の第四実施例の面格子固定装置を構成するキャップを示す概念斜視図である。
【図９】図９は、本考案の第五実施例の面格子固定装置を構成するキャップを示す概念斜視図である。
【図１０】図１０は、本考案の第六実施例の面格子固定装置を構成するキャップを示す概念斜視図である。
【図１１】図１１は、本考案の第七実施例の面格子固定装置を構成するキャップを示す概念斜視図である。
【図１２】図１２は、本考案の第八実施例の面格子固定装置を構成するキャップを示す概念斜視図である。
【図１３】図１３は、本考案の第九実施例の面格子固定装置を構成するキャップを示す概念斜視図である。
【図１４】図１４は、面格子を、従来の面格子固定装置によって外壁に取付けた様子を示す概念斜視図である。
【図１５】図１５は、図１４の要部拡大図であって、面格子固定装置を表した図である。
【図１６】図１６は、図１５の面格子固定装置の組立て分解概念斜視図である。
【符号の説明】
【００７１】
１、２１、３１、４１、５１、６１、７１、８１、９１…面格子固定装置
３…固定手段
５、２５、３５、４５、５５、６５、７５、８５、９５…キャップ
８…接着剤
１１…面格子
１１ａ…固定部
１５…外壁
【図１】
0003108987.tif 000003
【図２】
0003108987.tif 000004
【図３】
0003108987.tif 000005
【図４】
0003108987.tif 000006
【図５】
0003108987.tif 000007
【図６】
0003108987.tif 000008
【図７】
0003108987.tif 000009
【図８】
0003108987.tif 000010
【図９】
0003108987.tif 000011
【図１０】
0003108987.tif 000012
【図１１】
0003108987.tif 000013
【図１２】
0003108987.tif 000014
【図１３】
0003108987.tif 000015
【図１４】
0003108987.tif 000016
【図１５】
0003108987.tif 000017
【図１６】
0003108987.tif 000018